(57)【要約】【課題】鮎釣り用の曳舟の紐体を掛止するための釣り用掛止具において、嵩張ることがなく、釣り人の腰に装着しても邪魔とならず、保管や運搬にも省スペースとできる釣り用掛止具を提供する。【解決手段】釣り用掛止具５は、掛止具本体１０と、係止具１１０と、取付け具１３０とを有し、掛止具本体１０は、本体構成部２０と、回動掛止部４０と、本体構成部２０の正面側構成部２１に設けられる内側構成部６０とを有し、紐体を掛止するための回動掛止部４０は、突出部３０に回動自在に取り付けられ、立設した状態と正面側に突出した状態の間で回動可能となっている。また、係止具１１０には、曳舟の紐体に取り付けられたナス環等の係止部材を係止する。【選択図】図１
2013090613.tif 000002
【特許請求の範囲】
【請求項１】
紐体を掛止するための釣り用掛止具であって、
略板状の主部（２２、１２２）と、主部の一方の面側である正面側に突出して形成され、左右方向に間隔を介して互いに略平行に形成された左側突出部（３２）及び右側突出部（３４）とを有する主構成部（２１、１２１）と、
左側突出部と右側突出部の間に左側突出部及び右側突出部に対して回動自在に設けられ、左右方向に対して直角方向を長手方向として形成された基端部（４４）と、基端部（４４）の先端から基端部に対して屈曲して形成され、左右方向に対して直角方向を長手方向として形成された先端部（４６）とを有し、側面視で略Ｖ字状に屈曲して形成され、基端部と先端部間に紐体を掛止するための隙間を有し、先端部の左右方向に対する直角方向の長さが基端部の左右方向に対する直角方向の長さよりも短く形成された屈曲部（４２）と、
を有し、
屈曲部が上方に回動して、屈曲部の回動範囲の一方の端部に位置する状態である第１状態の場合に、屈曲部部が立設した状態となり、一方、屈曲部が下方に回動して、屈曲部の回動範囲の他方の端部に位置する状態である第２状態の場合に、屈曲部が正面側に突出し、先端部が基端部の上側となることを特徴とする釣り用掛止具。
【請求項２】
主部には、内側構成部を取り付けるための開口部（Ｋ２０）が形成され、
左側突出部には、右側突出部と対向する側に該開口部から正面側に連設された第１溝部で、その正面側の端部が左側突出部の正面側の端部よりも背面側にある第１溝部（Ｍ１）が形成されるとともに、右側突出部には、左側突出部と対向する側に該開口部から正面側に連設された第２溝部で、その正面側の端部が右側突出部の正面側の端部よりも背面側にある第２溝部（Ｍ２）が形成され、左側突出部の下端と右側突出部の下端とを連結する連結部（３６）が形成され、
屈曲部において、基端部の基端側の左側面側に突出して形成され第１溝部内における正面側の端部に設けられた第１軸部（５０）と、基端部の基端側の右側面側に突出して形成され第２溝部内における正面側の端部に第１軸部と同軸上に設けられ第２軸部（５２）とが形成され、基端部の基端側の端部には、鉤状部の先端と係合するための突状部（４４ｂ）が形成され、
主部の開口部に取り付けられた内側構成部で、主部の開口部内に設けられた枠状部（６２ａ）と、該枠状部の内側に設けられ先端が正面側に向けて設けられた鉤状部（６２ｂ）とを有する内側構成部本体（６２）と、内側構成部本体から正面側に突出して設けられた内側構成部第１突出部で、第１溝部内に設けられ第１軸部の前後方向の移動を規制する内側構成部第１突出部（６８）と、内側構成部本体から正面側に突出して設けられた内側構成部第２突出部で、第２溝部内に設けられ第２軸部の前後方向の移動を規制する内側構成部第２突出部（７０）とを有し、鉤状部が左右方向において内側構成部第１突出部と内側構成部第２突出部の間の位置に設けられた内側構成部（６０）が形成され、
第１状態の場合に、突状部が鉤状部の先端と係合し、第２状態の場合に、基端部の基端側の端部が連結部に当接することを特徴とする請求項１に記載の釣り用掛止具。
【請求項３】
主構成部は、主部の上下の端部から背面側に突出した側面部（２４、２６）を有し、一対の側面部における背面側に略板状の背面構成部（８０）が、主部と間隔を介して取り付けられていることを特徴とする請求項１又は２に記載の釣り用掛止具。
【請求項４】
主構成部は、主部の左右の端部から背面側に突出した側面部（２４、２６）を有し、一対の側面部における背面側に略板状の背面構成部（８０）が、主部と間隔を介して取り付けられていることを特徴とする請求項２に記載の釣り用掛止具。
【請求項５】
釣り用掛止具が、帯状部材により形成された取付け具（１３０）を有し、取付け具の一部が主部と背面構成部間に挟設され、主部と背面構成部間に挟設された部分を含む取付け具の少なくとも一部が、ループ状に形成されていることを特徴とする請求項４に記載の釣り用掛止具。
【請求項６】
主構成部には、主部及び左側突出部に前後方向に設けられた第１ネジ穴（Ｈ１０）と、主部及び右側突出部に前後方向に設けられた第２ネジ穴（Ｈ１２）と、主部における第１ネジ穴の上側に設けられた第３ネジ穴（Ｈ１４）と、主部における第２ネジ穴の上側に設けられた第４ネジ穴（Ｈ１６）とが設けられ、内側構成部には、内側構成部第１突出部の左側面側に突出し、第１ネジ穴に対応した開口穴（６５ａ）が設けられた第１片部（６４ａ）と、内側構成部第２突出部の右側面側に突出し、第２ネジ穴に対応した開口穴（６５ｂ）が設けられた第２片部（６４ｂ）とが設けられ、背面構成部には、各ネジ穴に対応した開口穴（Ｋ４０、Ｋ４２、Ｋ４４、Ｋ４６）が設けられ、背面構成部における第１ネジ穴と第２ネジ穴に対応する開口穴にネジ部を挿通し、該ネジ部を取付け具に挿通し、さらに内側構成部の第１片部と第２片部に設けられた開口穴に挿通して、第１ネジ穴と第２ネジ穴に螺着し、また、背面構成部における第３ネジ穴と第４ネジ穴に対応する開口穴にネジ部を挿通し、該ネジ部を取付け具に挿通し、第３ネジ穴と第４ネジ穴に螺着することにより、背面構成部が主構成部に固定されることを特徴とする請求項５に記載の釣り用掛止具。
【請求項７】
取付け具の下端に、ナス環又は鉄砲環からなる係止部材を係止するために環状に形成された係止具が取り付けられていることを特徴とする請求項５又は６に記載の釣り用掛止具。
【請求項８】
係止具が、
平板状の板状部材で、取付け具を挿通するための開口部である第２開口部を有する板状部材（１１４）と、
係止部材を係止する係止具突出部で、板状部材の両側の下端からそれぞれ板状部材の一方の面に対して突出して該両側の下端同士を架橋して形成され、板状部材との間に第３開口部を有する係止具突出部（１２０）と、
を有し、板状部材の下端部分と係止具突出部とで環状に形成され、
取付け具が第２開口部に挿通されることにより、係止具が取付け具に取り付けられていることを特徴とする請求項７に記載の釣り用掛止具。
【発明の詳細な説明】
【技術分野】
【０００１】
本発明は、釣り用掛止具に関するものであり、特に、鮎釣り用の曳舟の紐体を掛止するための釣り用掛止具に関するものである。
【背景技術】
【０００２】
鮎の友釣りにおいては、釣り上げた鮎を収納するための曳舟が用いられるが、曳舟に設けられた紐体を釣り人のベルト等に係止しておく。そして、通常は、曳舟を川に流した状態にしておくが、鮎を釣り上げた際に紐体をたぐって曳舟を手元に引き寄せておくために紐体を掛止するための掛止具として、特許文献１に記載の釣用掛止具が存在する。
【０００３】
特許文献１の釣用掛止具は、略直方体状であり、紐体の外形を挟持部と挟持部の間に挟み込み長手方向の移動を係止したものである。
【先行技術文献】
【特許文献】
【０００４】
【特許文献１】特開２００１−１１２３９１号公報
【発明の概要】
【発明が解決しようとする課題】
【０００５】
しかし、特許文献１の釣用掛止具は、略直方体状であるので、嵩張ってしまい、釣りに際して邪魔となったり、保管や運搬にスペースを要するという問題がある。つまり、特許文献１の釣用掛止具は略直方体状であるので、特に前後方向に嵩張ってしまい、釣り人の腰に装着した際に釣りの邪魔となってしまい、保管や運搬にスペースを要してしまう。
【０００６】
また、特許文献１の釣用掛止具では、スリ割溝の位置に正確に紐体を配置して係止しなければならず、係止が容易ではないという問題がある。
【０００７】
そこで、本発明は、鮎釣り用の曳舟の紐体を掛止するための釣り用掛止具において、嵩張ることがなく、釣り人の腰に装着しても邪魔とならず、保管や運搬にも省スペースとでき、紐体の掛止が容易な釣り用掛止具を提供することを目的とする。
【課題を解決するための手段】
【０００８】
本発明は上記問題点を解決するために創作されたものであって、第１には、紐体を掛止するための釣り用掛止具であって、略板状の主部（２２、１２２）と、主部の一方の面側である正面側に突出して形成され、左右方向に間隔を介して互いに略平行に形成された左側突出部（３２）及び右側突出部（３４）とを有する主構成部（２１、１２１）と、左側突出部と右側突出部の間に左側突出部及び右側突出部に対して回動自在に設けられ、左右方向に対して直角方向を長手方向として形成された基端部（４４）と、基端部（４４）の先端から基端部に対して屈曲して形成され、左右方向に対して直角方向を長手方向として形成された先端部（４６）とを有し、側面視で略Ｖ字状に屈曲して形成され、基端部と先端部間に紐体を掛止するための隙間を有し、先端部の左右方向に対する直角方向の長さが基端部の左右方向に対する直角方向の長さよりも短く形成された屈曲部（４２）と、を有し、屈曲部が上方に回動して、屈曲部の回動範囲の一方の端部に位置する状態である第１状態の場合に、屈曲部部が立設した状態となり、一方、屈曲部が下方に回動して、屈曲部の回動範囲の他方の端部に位置する状態である第２状態の場合に、屈曲部が正面側に突出し、先端部が基端部の上側となることを特徴とする。
【０００９】
第１の構成の釣り用掛止具においては、主部の背面側の面をズボンのベルト等に取り付けて釣り用掛止具を装着する。釣り用掛止具を使用しない場合には、屈曲部を第１状態にしておき、釣り用掛止具を使用する場合には、屈曲部を第１状態から下方に回動させて第２状態として、屈曲部を正面側に突出した状態として、屈曲部の基端部と先端部の隙間に紐体を掛止して使用する。例えば、鮎の友釣りにおいて、鮎を釣り上げた際に、屈曲部を第１状態から第２状態にしておき、曳舟に設けられた紐体をたぐって曳舟を手元に引き寄せ、紐体を屈曲部に掛止させる。
【００１０】
その後、紐体の屈曲部への掛止を解除する場合には、紐体を屈曲部の基端部と先端部の隙間から引き出し、屈曲部を上方に回動させて第１状態とする。
【００１１】
本発明の釣り用掛止具においては、屈曲部が第１状態と第２状態の間で回動可能であり、第１状態の場合には、屈曲部が立設した状態となるので、釣り用掛止具が嵩張ることがなく、釣り人の腰に装着しても邪魔とならず、保管や運搬にも省スペースとできる。
【００１２】
また、屈曲部においては、先端部が基端部よりも短く形成され、また、屈曲部が第２状態の場合に、先端部が基端部の上側となるので、屈曲部が第２状態の場合には、先端部の先端と主部の正面側の面の間には間隔が形成され、屈曲部に掛止する直前の紐体を配置するスペースを広く確保することができ、先端部の先端よりも背面側に紐体を配置した後に、紐体を正面側にスライドさせることにより係止できるので、紐体を屈曲部に掛止させるのが容易となる。
【００１３】
なお、上記第１の構成を以下の構成としてもよい。すなわち、「紐体を掛止するための釣り用掛止具であって、主構成部（２１、１２１）と、主構成部に回動自在に設けられた回動掛止部（４０）と、主構成部に取り付けられた内側構成部（６０）とを有し、主構成部が、内側構成部を取り付けるための開口部（Ｋ２０）が設けられた略板状の主部（２２、１２２）と、主部の一方の面側である正面側に突出して形成された突出部で、左側突出部（３２）と右側突出部（３４）と連結部（３６）とを有し、左側突出部が右側突出部と対向する側に該開口部から正面側に連設された第１溝部で、その正面側の端部が左側突出部の正面側の端部よりも背面側にある第１溝部（Ｍ１）を有するとともに、右側突出部が左側突出部と対向する側に該開口部から正面側に連設された第２溝部で、その正面側の端部が右側突出部の正面側の端部よりも背面側にある第２溝部（Ｍ２）を有し、左側突出部と右側突出部とが左右方向に間隔を介して形成され、連結部が左側突出部の下端と右側突出部の下端とを連結する突出部（３０）とを有し、回動掛止部は、略Ｖ字状に屈曲して形成された屈曲部で、第１軸部と第２軸部の軸線方向である左右方向に対して直角方向に伸びて形成された基端部（４４）と、基端部の長手方向の一方の端部から基端部に対して屈曲して形成され左右方向に対して直角方向に伸びて形成された先端部（４６）とを有し、先端部の左右方向に対する直角方向の長さが基端部の左右方向に対する直角方向の長さよりも短く形成され、基端部と先端部間の隙間に紐体を掛止する屈曲部（４２）と、基端部の長手方向の他方の端部の左側面側に突出して形成され第１溝部内における正面側の端部に設けられた第１軸部（５０）と、基端部の長手方向の他方の端部の右側面側に突出して形成され第２溝部内における正面側の端部に設けられ第１軸部と同軸上に形成された第２軸部（５２）とを有するとともに、基端部の長手方向の他方の端部には、鉤状部の先端と係合するための突状部（４４ｂ）が形成され、内側構成部は、主部の開口部内に設けられた枠状部（６２ａ）と、該枠状部の内側に設けられ先端が正面側に向けて設けられた鉤状部（６２ｂ）とを有する内側構成部本体（６２）と、内側構成部本体から正面側に突出して設けられた内側構成部第１突出部で、第１溝部内に設けられ第１軸部の前後方向の移動を規制する内側構成部第１突出部（６８）と、内側構成部本体から正面側に突出して設けられた内側構成部第２突出部で、第２溝部内に設けられ第２軸部の前後方向の移動を規制する内側構成部第２突出部（７０）とを有し、回動掛止部が上方に回動して、突状部が鉤状部の先端と係合した第１状態の場合に、回動掛止部が立設した状態となり、一方、回動掛止部が下方に回動して、基端部の長手方向の他方の端部が連結部に当接した第２状態の場合に、回動掛止部が正面側に突出し、先端部が基端部の上側となり、回動掛止部が第１状態と第２状態の間で回動可能であることを特徴とする。
【００１４】
また、第２には、上記第１の構成において、主部には、内側構成部を取り付けるための開口部（Ｋ２０）が形成され、左側突出部には、右側突出部と対向する側に該開口部から正面側に連設された第１溝部で、その正面側の端部が左側突出部の正面側の端部よりも背面側にある第１溝部（Ｍ１）が形成されるとともに、右側突出部には、左側突出部と対向する側に該開口部から正面側に連設された第２溝部で、その正面側の端部が右側突出部の正面側の端部よりも背面側にある第２溝部（Ｍ２）が形成され、左側突出部の下端と右側突出部の下端とを連結する連結部（３６）が形成され、屈曲部において、基端部の基端側の左側面側に突出して形成され第１溝部内における正面側の端部に設けられた第１軸部（５０）と、基端部の基端側の右側面側に突出して形成され第２溝部内における正面側の端部に第１軸部と同軸上に設けられ第２軸部（５２）とが形成され、基端部の基端側の端部には、鉤状部の先端と係合するための突状部（４４ｂ）が形成され、主部の開口部に取り付けられた内側構成部で、主部の開口部内に設けられた枠状部（６２ａ）と、該枠状部の内側に設けられ先端が正面側に向けて設けられた鉤状部（６２ｂ）とを有する内側構成部本体（６２）と、内側構成部本体から正面側に突出して設けられた内側構成部第１突出部で、第１溝部内に設けられ第１軸部の前後方向の移動を規制する内側構成部第１突出部（６８）と、内側構成部本体から正面側に突出して設けられた内側構成部第２突出部で、第２溝部内に設けられ第２軸部の前後方向の移動を規制する内側構成部第２突出部（７０）とを有し、鉤状部が左右方向において内側構成部第１突出部と内側構成部第２突出部の間の位置に設けられた内側構成部（６０）が形成され、第１状態の場合に、突状部が鉤状部の先端と係合し、第２状態の場合に、基端部の基端側の端部が連結部に当接することを特徴とする。
【００１５】
よって、屈曲部が第１状態の場合に、突状部が鉤状部の先端と係合した状態となるので、屈曲部を正面側に回動させるように力を加えない限り、第１状態が維持され、不用意に屈曲部が下方に回動して正面側に突出することがない。
【００１６】
なお、上記第２の構成において、屈曲部における先端部の先端が外側に湾曲した形状を呈し、屈曲部が第１状態の場合に、先端部の先端が主部の開口部内に収納されることを特徴とするものとしてもよい。このようにすることにより、第１状態において、屈曲部が正面側に突出することを防止することができる。
【００１７】
また、上記第２の構成において、主構成部には、主部及び左側突出部に前後方向に設けられた第１ネジ穴（Ｈ１０）と、主部及び右側突出部に前後方向に設けられた第２ネジ穴（Ｈ１２）と、主部における第１ネジ穴の上側に設けられた第３ネジ穴（Ｈ１４）と、主部における第２ネジ穴の上側に設けられた第４ネジ穴（Ｈ１６）とが設けられ、内側構成部には、内側構成部第１突出部の左側面側に突出し、第１ネジ穴に対応した開口穴（６５ａ）が設けられた第１片部（６４ａ）と、内側構成部第２突出部の右側面側に突出し、第２ネジ穴に対応した開口穴が設けられた第２片部（６４ｂ）とが設けられていることを特徴とするものとしてもよい。これにより、背面側からネジ部を螺着することにより、釣り用掛止具をベルト等に取り付けることができる。
【００１８】
また、第３には、上記第１又は第２の構成において、主構成部は、主部の上下の端部から背面側に突出した側面部（２４、２６）を有し、一対の側面部における背面側に略板状の背面構成部（８０）が、主部と間隔を介して取り付けられていることを特徴とする。これにより、主部と背面構成部間にベルトを挿通することにより、釣り用掛止具をベルトに取り付けることができる。
【００１９】
また、第４には、上記第２の構成において、主構成部は、主部の左右の端部から背面側に突出した側面部（２４、２６）を有し、一対の側面部における背面側に略板状の背面構成部（８０）が、主部と間隔を介して取り付けられていることを特徴とする。よって、主部と背面構成部間に帯状部材を挿通し、ループ状に形成することにより、該帯状部材をベルト通し部として使用して、ベルトに装着することが可能となる。
【００２０】
また、第５には、上記第４の構成において、釣り用掛止具が、帯状部材により形成された取付け具（１３０）を有し、取付け具の一部が主部と背面構成部間に挟設され、主部と背面構成部間に挟設された部分を含む取付け具の少なくとも一部が、ループ状に形成されていることを特徴とする。よって、取付け具のループ状の部分にベルトを挿通することにより、ベルトに装着することが可能となる。
【００２１】
また、第６には、上記第５の構成において、主構成部には、主部及び左側突出部に前後方向に設けられた第１ネジ穴（Ｈ１０）と、主部及び右側突出部に前後方向に設けられた第２ネジ穴（Ｈ１２）と、主部における第１ネジ穴の上側に設けられた第３ネジ穴（Ｈ１４）と、主部における第２ネジ穴の上側に設けられた第４ネジ穴（Ｈ１６）とが設けられ、内側構成部には、内側構成部第１突出部の左側面側に突出し、第１ネジ穴に対応した開口穴（６５ａ）が設けられた第１片部（６４ａ）と、内側構成部第２突出部の右側面側に突出し、第２ネジ穴に対応した開口穴（６５ｂ）が設けられた第２片部（６４ｂ）とが設けられ、背面構成部には、各ネジ穴に対応した開口穴（Ｋ４０、Ｋ４２、Ｋ４４、Ｋ４６）が設けられ、背面構成部における第１ネジ穴と第２ネジ穴に対応する開口穴にネジ部を挿通し、該ネジ部を取付け具に挿通し、さらに内側構成部の第１片部と第２片部に設けられた開口穴に挿通して、第１ネジ穴と第２ネジ穴に螺着し、また、背面構成部における第３ネジ穴と第４ネジ穴に対応する開口穴にネジ部を挿通し、該ネジ部を取付け具に挿通し、第３ネジ穴と第４ネジ穴に螺着することにより、背面構成部が主構成部に固定されることを特徴とする。
【００２２】
よって、ネジ部を取付け具に挿通した状態で螺着するので、掛止部本体を取付け具に強固に取り付けることができ、また、第１ネジ部と第２ネジ部は、内側構成部に設けられた開口部にも挿通した状態で螺着されるので、内側構成部を正面側構成部に強固に固定でき、屈曲部に設けられた第１軸部及び第２軸部のぐらつきを防止することができる。
【００２３】
また、第７には、上記第５又は第６の構成において、取付け具の下端に、ナス環又は鉄砲環からなる係止部材を係止するために環状に形成された係止具（１１０、１１０’）が取り付けられていることを特徴とする。よって、曳舟の紐体に取り付けられた係止部材を該係止具に係止して取り付けることができ、係止部材を係止させるための部材を別途設ける必要がない。
【００２４】
なお、第７の構成において、主部と背面構成部間に挟設された部分とともに形成されたループ状の部分とは別にループ状に形成された部分に係止具が挿通して設けられているものとしてもよい。
【００２５】
また、第７の構成において、主部と背面構成部間に挟設された部分とともに形成されたループ状の部分に係止具が挿通して設けられているものとしてもよい。
【００２６】
また、第８には、上記第７の構成において、係止具が、平板状の板状部材で、取付け具を挿通するための開口部である第２開口部を有する板状部材（１１４）と、係止部材を係止する係止具突出部で、板状部材の両側の下端からそれぞれ板状部材の一方の面に対して突出して該両側の下端同士を架橋して形成され、板状部材との間に第３開口部を有する係止具突出部（１２０）と、を有し、板状部材の下端部分と係止具突出部とで環状に形成され、取付け具が第２開口部に挿通されることにより、係止具が取付け具に取り付けられていることを特徴とする。
【００２７】
よって、係止部材を係止具に係止させる際には、係止具突出部が板状部材から突出して形成されているので、係止部材を一方の手で持って係止具突出部に係止させればよく、係止具を他方の手で支持しておく必要がない。特に、係止部材を係止させる際に係止具突出部を下方に押さえておくことにより、板状部材の背面側の面が板状部材の背面側の他の物の面側に押されるので、これにより、係止具が固定され、係止部材を係止しやすくすることができる。係止具を他方の手で支持しておく必要がないので、係止部材を係止させる際に両手を用いる必要がない。
【００２８】
また、係止具突出部は、板状部材の一方の面に対して突出して形成されているので、釣り用係止具をズボンのベルトに装着して上側から視認した場合に、係止具の存在を識別しやすく、ナス環等の係止部材の係止を容易に行うことができる。
【００２９】
なお、上記第８の構成において、係止具突出部が、板状部材に対して屈曲して形成されていることを特徴とするのが好ましく、また、係止具突出部が、Ｕ字状又は円弧状を呈することを特徴とするのが好ましい。
【００３０】
また、上記第８の構成において、板状部材の下端には、板状部材の左右方向の長さよりも左右方向の長さが短く形成され、板状部材の下端から板状部材の左右の端部から間隔を介して連設された先端板部（１１６）が連設されていることを特徴とするのが好ましい。これにより、先端板部が板状部材の下端から下方に形成されているので、係止具突出部を下方に押しても係止具突出部が下方に回動することがなく、係止部材の掛止具突出部に対する係止が容易となる。
【発明の効果】
【００３１】
本発明に基づく釣り用掛止具においては、屈曲部が第１状態と第２状態の間で回動可能であり、第１状態の場合には、屈曲部が立設した状態となるので、釣り用掛止具が嵩張ることがなく、釣り人の腰に装着しても邪魔とならず、保管や運搬にも省スペースとできる。
【００３２】
また、屈曲部においては、先端部が基端部よりも短く形成され、また、屈曲部が第２状態の場合に、先端部が基端部の上側となるので、屈曲部が第２状態の場合には、先端部の先端と主部の正面側の面の間には間隔が形成され、屈曲部に掛止する直前の紐体を配置するスペースを広く確保することができ、先端部の先端よりも背面側に紐体を配置した後に、紐体を正面側にスライドさせることにより係止できるので、紐体を屈曲部に掛止させるのが容易となる。
【図面の簡単な説明】
【００３３】
【図１】回動掛止部が格納状態の場合の釣り用掛止具の前方斜視図である（実施例１）。
【図２】回動掛止部が格納状態の場合の釣り用掛止具の後方斜視図である（実施例１）。
【図３】回動掛止部が使用状態の場合の釣り用掛止具の前方斜視図である（実施例１）。
【図４】掛止具本体の前方斜視図である。
【図５】掛止具本体の後方斜視図である。
【図６】掛止具本体の前方分解斜視図である。
【図７】掛止具本体の後方分解斜視図である。
【図８】図４のＡ−Ａ断面図である。
【図９】図４のＢ−Ｂ断面図である。
【図１０】釣り用掛止具の使用状態図である。
【図１１】釣り用掛止具の使用状態図である。
【図１２】釣り用掛止具の使用状態図である。
【図１３】釣り用掛止具の他の例を示す前方斜視図である。
【図１４】他の例の釣り用掛止具の後方分解斜視図である（実施例２）。
【図１５】他の例の釣り用掛止具とその使用状態を示す後方斜視図である（実施例３）。
【発明を実施するための形態】
【００３４】
本発明においては、鮎釣り用の曳舟の紐体を掛止するための釣り用掛止具において、嵩張ることがなく、釣り人の腰に装着しても邪魔とならず、保管や運搬にも省スペースとできる釣り用掛止具を提供するという目的を以下のようにして実現した。
【実施例１】
【００３５】
本発明に基づく釣り用掛止具５は、図１〜図９に示されるように構成され、掛止具本体１０と、係止具１１０と、掛止具本体１０と係止具１１０を取り付けるための取付け具（掛止具本体１０と係止具１１０を支持する支持具としてもよい）１３０とを有している。
【００３６】
ここで、掛止具本体１０は、本体構成部２０と、本体構成部２０に対して回動する回動掛止部４０と、本体構成部２０の正面側構成部２１に取り付けられる内側構成部６０とを有している。
【００３７】
本体構成部（筐体部としてもよい）２０は、正面側（Ｙ１側）に設けられる正面側構成部２１と、正面側構成部２１の背面側（Ｙ２側）に取り付けられる背面構成部８０とを有している。
【００３８】
正面側構成部（主構成部）（筐体部本体としてもよい）２１は、回動掛止部４０を回動可能に軸支するとともに、内側構成部６０と背面構成部８０とを取付け可能に形成されていて、正面部２２と、正面部２２の左側面側の端から背面側に連設された側面部２４と、正面部２２の右側面側の端部から背面側に連設された側面部２６と、正面部２２の正面側の面から正面側に突出して形成された突出部３０とを有している。正面側構成部２１は、合成樹脂により全体に一体に形成されている。
【００３９】
正面部（主部）２２は、略方形状（略縦長長方形状）の略板状を呈し（つまり、上下方向と左右方向に伸びた略板状を呈していて、厚み方向を向いた一対の面の一方が正面側の面となり、他方が背面側の面となっている）、上下方向の略中央から下方に向けて、略凸状の開口部Ｋ２０が形成されている。つまり、開口部Ｋ２０は、横長の下側開口部Ｋ２２の上側に縦長の上側開口部Ｋ２４が連設された形状を呈している。下側開口部Ｋ２２には、突出部３０の内側の空間（つまり、側面部３２ｄの右側面側の面と、側面部３４ｄの左側面側の面と、連結部３６の上面で囲まれる空間）が連設され、また、上側開口部Ｋ２４には、回動掛止部４０を上方に回動して格納状態（第１状態）（閉状態としてもよい）にある場合に、図８に示すように、回動掛止部４０の先端部４６の湾曲した先端が配置される。これにより、回動掛止部４０の格納状態において、回動掛止部４０が正面側に突出することを防止することができる。なお、上側開口部Ｋ２４の内側の左側面側には、内側構成部６０の突出部６７ａが嵌合するための凹部２３ａが形成され、上側開口部Ｋ２４の内側の右側面側には、内側構成部６０の突出部６７ｂが嵌合するための凹部２３ｂが形成されている。
【００４０】
正面部２２の背面側の面には、下側開口部Ｋ２２の周囲に、内側構成部６０における片部６４を配置するための凹部Ｋ１０が形成されている。この凹部Ｋ１０が形成されていることにより、内側構成部６０を正面側構成部２１に取り付けた際に、片部６４の背面側の面が正面部２２の背面と面一となる（つまり、同一平面を形成する）。この凹部Ｋ１０の外形は、片部６４の外形に合わせて形成され、下端の外形は、左右方向（Ｘ１−Ｘ２方向）の直線状に形成され、左右の端部の外形は、三角形状に形成され、上端の外形は、該三角形状の上端から連設され、左右方向の直線とその内側に連設された鉤形状からなる形状となっている。
【００４１】
また、左右の凹部Ｋ１０には、前後方向に形成されたネジ穴（第１ネジ穴）Ｈ１０とネジ穴（第２ネジ穴）Ｈ１２が形成され、ネジ穴Ｈ１０は左側突出部３２にまで連設され、ネジ穴Ｈ１２は右側突出部３４にまで連設されている。
【００４２】
また、正面部２２の背面側の面の上側領域には、ネジ穴Ｋ１０の上側に形成されたネジ穴（第３ネジ穴）Ｈ１４と、ネジ穴Ｋ１２の上側に形成されたネジ穴（第４ネジ穴）Ｈ１６が形成され、正面部２２の正面側におけるネジ穴Ｈ１４に対応する位置には、略円柱状の突状部２２ａが形成され、ネジ穴Ｈ１４は突状部２２ａにまで連設され、また、正面部２２の正面側におけるネジ穴Ｈ１６に対応する位置には、略円柱状の突状部２２ｂが形成され、ネジ穴Ｈ１６は突状部２２ｂにまで連設されている。
【００４３】
なお、掛止具本体１０の組立て状態では、正面部２２は、背面構成部８０とは略平行に間隔を介して対向して設けられる。
【００４４】
また、側面部２４は、正面部２２の左側面側の端部から背面側に突出して略板状に形成され、上下方向には正面部２２の上下方向の長さと略同一の長さを有している。側面部２４の背面側の内側には、背面構成部８０の左側面側の縁部が嵌合するための切欠部２４ａが側面部２４の上端から下端に上下方向に形成され、これにより、側面部２４の背面が段状に形成され、さらに、側面部２４の背面側の端部（切欠部２４ａよりも外側の部分）における上下方向の略中央には、該切欠部２４ａから連設された縦長の切欠部２４ｂが形成され、この切欠部２４ｂには、背面構成部８０の左側面側の突状部８４が嵌合する。
【００４５】
また、側面部２６は、正面部２２の右側面側の端部から背面側に突出して略板状に形成され、上下方向には正面部２２の上下方向の長さと略同一の長さを有している。側面部２６の背面側の内側には、背面構成部８０の右側面側の縁部が嵌合するための切欠部２６ａが側面部２６の上端から下端に上下方向に形成され、これにより、側面部２６の背面が段状に形成され、さらに、側面部２６の背面側の端部（切欠部２６ａよりも外側の部分）における上下方向の略中央には、該切欠部２６ａから連設された縦長の切欠部２６ｂが形成され、この切欠部２６ｂには、背面構成部８０の右側面側の突状部８６が嵌合する。
【００４６】
また、突出部３０は、正面部２２の下側領域から正面側に突出して形成され、回動掛止部４０を回動可能に支持するために軸部５０、５２を収納するとともに、内側構成部６０（特に、内側構成部６０の正面側の部分）を収納する空間を内側に有している。
【００４７】
すなわち、突出部３０は、突出部３０の左側を構成する左側突出部３２と、突出部３０の右側を構成する右側突出部３４と、左側突出部３２の下面部３２ｃと右側突出部３４の下面部３４ｃ（図７参照）とを連結する連結部３６とを有している。左側突出部３２と右側突出部３４とは、左右方向に間隔を介して互いに略平行（平行としてもよい）に形成されている。
【００４８】
左側突出部３２は、正面側に突出した略四角柱状の内側（右側面側）に溝部（第１溝部）Ｍ１を形成した形状を呈している。つまり、左側突出部３２の正面側は、上下方向の円弧状の周面を有するとともに左側面側が斜めに面取りされた形状を呈し、溝部Ｍ１は、左側面側が上下方向及び前後方向の平面をなし、上面が背面側から正面側に向けて下方に傾斜する平面をなし、下面が背面側から正面側に向けて上方に傾斜する平面をなし、正面側が円弧状の周面（円柱形状の周面の一部）をなしている。これにより、溝部Ｍ１は、正面側に行くほど上下方向の幅が狭くなるテーパ状を呈している。また、溝部Ｍ１の正面側の端部は左側突出部３２の正面側の端部よりも背面側にあり、溝部Ｍ１の正面側の端部は、左側突出部３２の正面側の端部にまで達してはいない。
【００４９】
左側突出部３２をより具体的に説明すると、左側突出部３２は、正面部２２から連設された略板状の上面部３２ａと、正面部２２から連設され上面部３２ａの下方に上面部３２ａと間隔を介して設けられた略板状の下面部３２ｃと、上面部３２ａの正面側の端部と下面部３２ｃの正面側の端部間に連設され、略円弧状に湾曲した板状を呈し外側が斜めに面取りされた先端部３２ｂと、上面部３２ａの下面と先端部３２ｂの背面及び左側面と下面部３２ｃの上面とに連設され、上面部３２ａと先端部３２ｂと下面部３２ｃとで囲まれた空間の左側面側に設けられ、左側突出部３２の左側面側を塞いだ状態の側面部３２ｄとを有している。ここで、上面部３２ａと下面部３２ｃとは、上面部３２ａと下面部３２ｃ間の間隔が正面側にいくほど狭くなるようにテーパ状を呈し、これにより、左側突出部３２の内側に設けられた空間は、正面側に行くほど上下方向の幅が狭くなるテーパ状を呈し、該空間の先端は、側面視で円弧状となっている。左側突出部３２の内側に設けられた空間の正面側に軸部５０が支持され、さらに、左側突出部３２の内側に設けられた空間の背面側には、内側構成部６０の突出部６８が配置される。また、側面部３２ｄの右側面側の面、つまり、左側突出部３２の内側に設けられた空間の左側面側の面は、鉛直方向をなし、かつ、前後方向に伸びていて、正面部２２の下側開口部Ｋ２２の左側面側の面から面一に連設されている。
【００５０】
また、右側突出部３４は、左側突出部３２と左右対称に形成されている。すなわち、正面側に突出した略四角柱状の内側（左側面側）に溝部（第２溝部）Ｍ２を形成した形状を呈している。つまり、右側突出部３４の正面側は、上下方向の円弧状の周面を有するとともに右側面側が斜めに面取りされた形状を呈し、溝部Ｍ２は、右側面側が上下方向及び前後方向の平面をなし、上面が背面側から正面側に向けて下方に傾斜する平面をなし、下面が背面側から正面側に向けて上方に傾斜する平面をなし、正面側が円弧状の周面（円柱形状の周面の一部）をなしている。これにより、溝部Ｍ２は、正面側に行くほど上下方向の幅が狭くなるテーパ状を呈している。また、溝部Ｍ２の正面側の端部は右側突出部３４の正面側の端部よりも背面側にあり、溝部Ｍ２の正面側の端部は、右側突出部３４の正面側の端部にまで達してはいない。溝部Ｍ１と溝部Ｍ２とは、互いに平行（略平行としてもよい）に形成されている。
【００５１】
右側突出部３４をより具体的に説明すると、右側突出部３４は、正面部２２から連設された略板状の上面部３４ａと、正面部２２から連設され上面部３４ａの下方に上面部３４ａと間隔を介して設けられた略板状の下面部３４ｃと、上面部３４ａの正面側の端部と下面部３４ｃの正面側の端部間に連設され、略円弧状に湾曲した板状を呈し外側が斜めに面取りされた先端部３４ｂと、上面部３４ａの下面と先端部３４ｂの背面及び右側面と下面部３４ｃの上面とに連設され、上面部３４ａと先端部３４ｂと下面部３４ｃとで囲まれた空間の右側面側に設けられ、右側突出部３４の右側面側を塞いだ状態の側面部３４ｄとを有している。ここで、上面部３４ａと下面部３４ｃとは、上面部３４ａと下面部３４ｃ間の間隔が正面側にいくほど狭くなるようにテーパ状を呈し、これにより、右側突出部３４の内側に設けられた空間は、正面側に行くほど上下方向の幅が狭くなるテーパ状を呈し、該空間の先端は、側面視で円弧状となっている。右側突出部３４の内側に設けられた空間の正面側に軸部５２が支持され、さらに、右側突出部３４の内側に設けられた空間の背面側には、内側構成部６０の突出部７０が配置される。また、側面部３４ｄの左側面側の面、つまり、右側突出部３４の内側に設けられた空間の右側面側の面は、鉛直方向をなし、かつ、前後方向に伸びていて、正面部２２の下側開口部Ｋ２２の左側面側の面から面一に連設されている。
【００５２】
また、連結部３６は、左側突出部３２と右側突出部３４間を連結して設けられ、正面部２２の下端から正面側に連設して設けられている。この連結部３６は略板状を呈し、前後方向の長さは、下面部３２ｃや下面部３４ｃの前後方向の長さよりも短く形成され、突出部３０の下端の中央には、略四角形状の切欠きＫ２６が形成され、突出部３０を底面側から視認すると、凹状に形成されている。これにより、正面側に回動した状態の回動掛止部４０の基端部４４の基端部分が切欠きＫ２６に入り込む状態となる。
【００５３】
また、回動掛止部４０は、略Ｖ字状に屈曲した略板状を呈している。つまり、回動掛止部４０は、側面視で略Ｖ字状に屈曲した略板状を呈する屈曲部４２と、屈曲部４２の基端部４４の基端部分の左側面側に設けられた軸部（第１軸部）５０と右側面側に設けられた軸部（第２軸部）５２とを有している。回動掛止部４０は、合成樹脂により全体に一体に形成されている。
【００５４】
ここで、屈曲部４２は、基端部４４と、基端部４４の先端から連設され基端部４４に対して鋭角をなす先端部４６と、基端部４４と外側の面から先端部４６の外側の面にかけて形成された補強部４７とを有している。
【００５５】
基端部４４は、回動掛止部４０の回動軸線の方向（軸部５０、５２の軸線方向）である左右方向に対して直角方向を長手方向として伸びて形成され、略板状を呈し、左右方向の幅は同一（略同一としてもよい）に形成され、基端側から先端側に向けて厚みが薄く形成されている。基端部４４の先端部４６と対向した面には、凹凸部４４ａが形成され、凹凸部４４ａは、左右方向に形成された突状部が基端部４４の長手方向に複数形成することにより形成されている。また、基端部４４の凹凸部４４ａが形成された面の基端側には、左右方向に伸びた棒状の突状部４４ｂが形成され、この突状部４４ｂは、回動掛止部４０を上方に回動して格納状態にある場合に、内側構成部６０の鉤状部６２ｂに係合して、回動掛止部４０を正面側に回動させるように力を加えない限り、格納状態を維持できるようになっている。
【００５６】
また、先端部４６は、略板状を呈し、基端部４４に対して鋭角の角度に形成され、基端部４４との間に略Ｖ字状の溝部Ｍ３が形成されている。この溝部Ｍ３が、紐体を掛止するための隙間となる。つまり、先端部４６と基端部４４とは、先端部４６の内側の面と基端部４４の内側の面との間隔（つまり、溝部Ｍ３の幅）が基端部４４の先端側にいくほど狭くなるように、側面視でテーパ状を呈している。なお、先端部４６の先端は、曳舟の紐体を掛止しやすいように、外側に湾曲した形状となっている。先端部４６は、左右方向に対して直角方向を長手方向として伸びて形成され、先端部４６の長手方向の長さは、基端部４４の長手方向の長さよりも短く形成されている。
【００５７】
また、補強部４７は、左右方向に同一（略同一としてもよい）の幅を有するフランジ状を呈し、基端部４４の外側の面と先端部４６の外側の面とから突出して形成されている。
【００５８】
なお、屈曲部４２の左右方向の幅（つまり、基端部４４の左右方向の幅と先端部４６の左右方向の幅）は、回動掛止部４０を左側突出部３２と右側突出部３４間に設けることができるように、左側突出部３２と右側突出部３４間の左右方向の距離以下（好ましくは該距離未満）に形成されている。
【００５９】
また、軸部５０、５２は、円柱状（略円柱状としてもよい）に形成され、軸部５０の軸線と軸部５２の軸線は一致している。これにより、軸部５０は、左側突出部３２の内側に設けられた空間である溝部Ｍ１の正面側の端部に回転可能に設けられ、軸部５２は、右側突出部３４の内側に設けられた空間である溝部Ｍ２の正面側の端部に回転可能に設けられる。これにより、基端部４４は、その基端側の端部が左側突出部３２と右側突出部３４の間の位置に設けられ、左側突出部３２及び右側突出部３４に対して回動自在に設けられ、よって、回動掛止部４０は、突出部３０に回動自在に支持される。
【００６０】
なお、回動掛止部４０が格納状態の場合には、回動掛止部４０の長手方向は上下方向に立設した状態（つまり、立った状態）となり（特に、基端部４４（つまり、基端部４４の長手方向）が略上下方向（丁度上下方向としてもよい）に立設した状態となる）、前後に突出しない状態となる。また、回動掛止部４０が下方に回動して、正面側に突出した状態になると、基端部４４の背面が突出部３０の連結部３６に当接して、下方への回動が停止され、図３、図１２に示すように、回動掛止部４０が水平よりもやや斜め下方の状態となる。つまり、回動掛止部４０の使用状態（第２状態）（開状態としてもよい）では、図３、図１２に示すように、回動掛止部４０が正面側に突出した状態となり、先端部４６が基端部４４の上側となる。
【００６１】
回動掛止部４０においては、先端部４６が基端部４４よりも短く形成され、また、回動掛止部４０が突出部３０の先端側に回動可能に設けられ、回動掛止部４０の使用状態の場合に、先端部４６が基端部４４の上側となるので、図３に示すように、回動掛止部４０の使用状態の場合には、先端部４６の先端と正面部２２の正面側の面の間には間隔Ｗが形成される。よって、回動掛止部４０が使用状態の場合に、回動掛止部に掛止する直前の紐体を配置するスペースを広く確保することができ、紐体を該スペース（つまり、先端部４６の先端よりも背面側の位置、特に、基端部４４の上面）に配置した後に、紐体を前方にスライドさせることにより紐体を回動掛止部４０に掛止できるので、紐体を回動掛止部４０に掛止させるのが容易となる。
【００６２】
また、基端部４４の基端側部分４２−１の凹凸部４４ａが形成された側の面は、回動掛止部４０が使用状態において、突出部３０における基端側部分４２−１の両側の部分の上面と連続した形状に形成されているので、回動掛止部４０が使用状態の場合に、紐体を突出部３０の上面に配置した後に、紐体を前方にスライドさせることにより容易に回動掛止部４０に掛止させることができ、紐体と回動掛止部４０とを目視していなくても、掛止することができる。
【００６３】
また、内側構成部（内蓋部としてもよい）６０は、正面側構成部２１における下側開口部Ｋ２２と凹部Ｋ１０の位置に取り付けられるものであり、内側構成部本体６２と、内側構成部本体６２の片部６４から正面側に突出して形成された突出部６８、７０とを有している。内側構成部６０は、合成樹脂により全体に一体に形成されている。
【００６４】
ここで、内側構成部本体６２は、四角枠状の枠状部６２ａと、枠状部６２ａの上端部６２ａ−１から下方に設けられた鉤状部６２ｂと、枠状部６２ａの左右両側及び底面側に突出して形成された片部６４とを有している。
【００６５】
すなわち、枠状部６２ａは、左右方向に設けられた四角柱状の上端部６２ａ−１と、上端部６２ａ−１の左側面側の端部から下方に形成された四角柱状の左端部６２ａ−２と、上端部６２ａ−１の右側面側の端部から下方に形成された四角柱状の右端部６２ａ−３と、左端部６２ａ−２の下端と右端部６２ａ−３の下端をつなぐ四角柱状の下端部６２ａ−４とを有している。なお、枠状部６２ａの外側面の正面側は、開口部Ｋ２０（特に、開口部Ｋ２４）に強固に嵌合するように外側（つまり、左側面側と右側面側）に突出して形成された突出部６７ａ、６７ｂが設けられている。
【００６６】
また、鉤状部６２ｂは、平板状部材を鉤状に折曲した形状を呈し、上端部６２ａ−１から連設され、上下方向に形成された第１板状部６２ｂ−１と、第１板状部６２ｂ−１の下端から正面側に突出して形成された第２板状部６２ｂ−２とを有している。第１板状部６２ｂ−１の正面側の面は、枠状部６２ａの正面側の面と面一となっている。鉤状部６２ｂは、左右方向において、突出部６８と突出部７０の間の位置に設けられている。
【００６７】
また、片部６４は、枠状部６２ａの周囲から突出した平板状を呈し、枠状部６２ａの左端から連設され略三角形状を呈する左側片部（第１片部）６４ａと、枠状部６２ａの右端から連設され略三角形状を呈する右側片部（第２片部）６４ｂと、左側片部６４ａの内側の下端と右側片部６４ｂの内側の下端の間に設けられ、枠状部６２ａの下端から連設された下側片部６４ｃとを有している。この片部６４の外形は、片部６４を正面側構成部２１の正面部２２の背面に形成された凹部Ｋ１０内に配置できるように、凹部Ｋ１０と略同一に形成されている。なお、左側片部６４ａには、開口部（開口穴）６５ａが設けられ、開口部６５ａは、ネジ穴Ｈ１０と対応する位置に形成されている。また、右側片部６４ｂには、開口部（開口穴）６５ｂが設けられ、開口部６５ｂは、ネジ穴Ｈ１２と対応する位置に形成されている。
【００６８】
また、突出部６８は、左側片部６４ａの正面側の面から正面側に突出して形成され、正面側にいくほど幅狭となる略台形形状の板状を呈している。突出部６８の右側面側の面は枠状部６２ａの左側面側の面と接している。突出部７０は、右側片部６４ｂの正面側の面から正面側に突出して形成され、正面側にいくほど幅狭となる略台形形状の板状を呈しており、突出部６８と左右対称に形成されている。突出部７０の左側面側の面は枠状部６２ａの右側面側の面と接している。突出部６８と突出部７０とは、左右方向に間隔を介して互いに平行（略平行としてもよい）に形成されている。
【００６９】
突出部６８、７０は、正面部２２の下側開口部Ｋ２２を挿通して、突出部３０の内側の空間に配設され、軸部５０、５２が前後方向に移動するのを防止している。つまり、突出部６８は、溝部Ｍ１（左側突出部３２の内側の空間）内に嵌合し、軸部５０が前後方向に移動するのを規制（防止としてもよい）し、突出部７０は、溝部Ｍ２（右側突出部３４の内側の空間）内に嵌合して、軸部５２が前後方向に移動するのを規制（防止としてもよい）している。突出部６８を溝部Ｍ１に嵌合した状態では、溝部Ｍ１における突出部６８の先端よりも正面側には、軸部５０を配置するための空間が形成され、また、突出部７０を溝部Ｍ２に嵌合した状態では、溝部Ｍ２における突出部７０の先端よりも正面側には、軸部５２を配置するための空間が形成される。
【００７０】
また、背面構成部（外蓋部としてもよい）８０は、正面部２２と対向して設けられ、略方形状（略縦長長方形状）の略板状（具体的には、略平板状）を呈し、背面構成部８０の左側面側の辺部には正面側に上下方向に切欠部８０ａが形成され、背面構成部８０の背面側には、左側面側に突出した突出部８２ａが形成されている。この突出部８２ａは、側面部２４の切欠部２４ａに嵌合する。また、突出部８２ａからは左側面側に略台形形状の突状部８４が突出して形成されている。この突状部８４は、切欠部２４ｂに嵌合する。
【００７１】
また、背面構成部８０の右側面側の辺部には正面側に上下方向に切欠部８０ｂが形成され、背面構成部８０の背面側には、右側面側に突出した突出部８２ｂが形成されている。この突出部８２ｂは、側面部２６の切欠部２６ａに嵌合する。また、突出部８２ｂからは右側面側に略台形形状の突状部８６が突出して形成されている。この突状部８６は、切欠部２６ｂに嵌合する。
【００７２】
また、背面構成部８０の４箇所には、円形の外形を有する凹部と該凹部の位置に設けられた開口部が形成されている。つまり、ネジ穴Ｈ１０に対応する位置には、凹部Ｋ３０と開口部（開口穴）Ｋ４０が形成され、ネジ穴Ｈ１２に対応する位置には、凹部Ｋ３２と開口部（開口穴）Ｋ４２が形成され、ネジ穴Ｈ１４に対応する位置には、凹部Ｋ３４と開口部（開口穴）Ｋ４４が形成され、ネジ穴Ｈ１６に対応する位置には、凹部Ｋ３６と開口部（開口穴）Ｋ４６が形成されている。
【００７３】
つまり、背面構成部８０を正面側構成部２１の背面側に配置した状態で、背面構成部８０に設けられた各開口部にネジ部９０を挿通して、正面部２２に設けられた各ネジ穴に螺着することにより、背面構成部８０が正面側構成部２１に固定される。ネジ部９０は、工具が嵌合するための溝部を設けた頭部９０ａと、頭部から連設され、周面に沿って螺旋状の溝が形成された軸部（ネジ部本体）９０ｂを有している。
【００７４】
背面構成部８０を正面側構成部２１に取り付けた状態では、正面部２２と側面部２４と側面部２６と背面構成部８０により筒状に形成され、上下方向に挿通穴が形成される。
【００７５】
また、係止具１１０は、板状部１１２と、板状部１１２に対して屈曲して形成された突出部（係止具突出部）（環状構成部、架橋部としてもよい）１２０とを有し、全体に一体に形成されている。係止具１１０は、金属製であり、具体的には、ステンレスにより形成されている。
【００７６】
板状部１１２は、略逆凸状（略Ｔ字状としてもよい）の外形を有する平板状を呈し、上側の領域に取付け具１３０を挿通するための横長（左右方向（Ｘ１−Ｘ２方向）に横長）の開口部（第２開口部）１１４ａが形成されている。すなわち、板状部１１２は、略方形状の平板状を呈する板状部本体（板状部材）１１４と、板状部本体１１４の下端から下方に連設された先端部（先端板部）１１６とを有している。板状部１１２の正面側の面と背面側の面とは、平面状に形成されている。
【００７７】
すなわち、板状部本体１１４は、横長（左右方向に横長）の略長方形状を呈し、具体的には、板状部本体１１４の上辺と下辺とが直線状で互いに平行に形成され、一対の側辺は、外側に膨出した円弧状を呈している。また、板状部本体１１４の上側の領域には、横長の長穴状の開口部１１４ａが一方の面（例えば、正面側（Ｙ１側）の面）から他方の面（例えば、背面側（Ｙ２側）の面）に貫通して設けられている。
【００７８】
また、先端部１１６は、略方形状の平板状を呈し、具体的には、方形状（横長長方形状）の下端の２つの角部にアールが形成された形状を呈している。この先端部１１６の横幅ｈ１は、突出部１２０の基端部（板状部１１２との接続部分）の内径ｈ２（つまり、突出部１２０の背面側の端部における内径）よりも小さく形成され、先端部１１６における左右両側の端部と突出部１２０との間には、左右方向において間隔Ｊ１、Ｊ２が設けられている。つまり、先端部１１６は、板状部本体１１４の左右方向の長さよりも左右方向の長さが短く形成され、板状部本体１１４の下端から板状部本体１１４の左右の端部から間隔を介して連設されている。なお、先端部１１６における左右両側の端部と突出部１２０との間に左右方向において間隔が設けられない構成としてもよい。この先端部１１６は、突出部１２０の上下方向の位置よりも下方に突出して形成されている。
【００７９】
また、突出部１２０は、Ｕ字状の棒状を呈し、上面と下面とが平面状に形成されている。つまり、上面と下面とが平面状に形成された平板棒状の部材をＵ字状に形成した形状を呈している。突出部１２０の上面は同一平面上に形成され、突出部１２０の下面は同一平面上に形成されている。突出部１２０における一対の端部は、板状部本体１１４の両側の下端と連設されており、板状部本体１１４における左側面側の端部と突出部１２０の左側面側の端部（背面側の一方の端部でもある）間には、連続面が形成され、板状部本体１１４における右側面側の端部と突出部１２０の右側面側の端部（背面側の他方の端部でもある）間には、連続面が形成されている。
【００８０】
なお、突出部１２０は、板状部１１２（特に、板状部本体１１４）に対して屈曲して形成され、具体的には、板状部１１２の正面側の面に対して突出して形成され、例えば、突出部１２０の上面と板状部１１２の正面側の面とがなす角度α（図１１参照）は、１００〜１１０度（好適には１０５度）となっている。なお、角度αは、略直角としてもよい。
【００８１】
この突出部１２０と突出部１２０が連設された板状部本体１１４（特に、板状部本体１１４の下端部分）とによって、環状に形成され、内側に開口部（第３開口部）Ｋが形成されている。なお、この突出部１２０と突出部１２０が連設された板状部本体１１４の下端部分とによって略Ｄ形の環状部が形成される。つまり、突出部１２０は、板状部本体１１４の下端で先端部１１６が連設されていない両側の下端（つまり、板状部本体１１４の下端で、先端部１１６よりも右側面側の下端部分と先端部１１６よりも左側面側の下端部分）からそれぞれ板状部の一方の面（つまり、正面側の面）に対して突出して該両側の下端同士を架橋して形成され、板状部本体とともに環状を構成し、板状部本体１１４との間に開口部Ｋを有している。なお、板状部１１２（特に、板状部本体１１４）における左右方向に間隔を介した位置からそれぞれ突出し、板状部１１２から間隔を介した位置で連設することにより、板状部１１２とともに環状を構成する構成ともいえる。また、板状部１１２（特に、板状部本体１１４）の面のある位置（第１位置）から突出するとともに、板状部１１２のその面における第１位置から左右方向に間隔を介した位置（第２位置）において板状部１１２と連設することにより、板状部１１２とともに環状を構成するともいえる。
【００８２】
なお、係止具１１０の製造に関しては、平板状の金属を突出部１２０が板状部１１２と同一平面状となっている形態に打ち抜き、その後、突出部１２０を板状部１１２に対して折曲した状態とすることにより形成することができる。
【００８３】
また、取付け具１３０は、帯状の布製部材をループ状に形成したものであり、具体的には、帯状の布製部材を８の字状のループ状に形成したものであり、第１背面部１３０ａと第１背面部１３０ａから連設された正面部１３０ｂと正面部１３０ｂから連設された第２背面部１３０ｃとを有している。
【００８４】
つまり、帯状の布製部材の一方の端部を上方に向けた状態で該一方の端部から下方の位置で正面側、かつ、上方に折り返し（この折り返し位置が下端の折り返し位置（係止具本体側の折り返し位置）となる）、さらに、上端位置で背面側、かつ、下方に折り返して（この折り返し位置が上端の折り返し位置となる）、帯状の布製部材の他方の端部領域を一方の端部領域の背面側の面と重なるようにして、帯状の布製部材の一方の端部と他方の端部とが重なった箇所で、第１背面部１３０ａと正面部１３０ｂと第２背面部１３０ｃとを直線上に縫い付けて縫製部１３２を形成することにより構成したものである。布製部材の一方の端部から下端の折り返し位置までの部分が第１背面部１３０ａとなり、布製部材の下端の折り返し位置から上端の折り返し位置までの正面側の部分が正面部１３０ｂとなり、上端の折り返し位置から布製部材の他方の端部までの部分が第２背面部１３０ｃとなる。縫製部１３２の位置では、正面部１３０ｂと第１背面部１３０ａと第２背面部１３０ｃとは積層した状態となっていて、正面部１３０ｂの背面側の面に第１背面部１３０ａが重なり、第１背面部１３０ａの背面側の面に第２背面部１３０ｃが重なっている。
【００８５】
掛止具本体１０は、取付け具１３０の正面部１３０ｂに取り付けられている。すなわち、本体構成部２０の正面側構成部２１と背面構成部８０の間に正面部１３０ｂを挿通した状態で、ネジ部９０を螺着することにより、掛止具本体１０が取付け具１３０に固定される。つまり、正面部１３０ｂの一部は、正面部２２と背面構成部８０間に挟設された状態となっている。掛止具本体が取付け具１３０に取り付けられた状態では、正面部１３０ｂには、ネジ部９０による穴が形成され、正面部１３０ｂにネジ部９０が挿通した状態となる。
【００８６】
また、取付け具１３０の下端部分が係止具１１０の開口部１１４ａに挿通された状態となっていて、これにより、係止具１１０が取付け具１３０に吊り下げられた状態となっている。つまり、布製部材の下端の折り返し位置が係止具本体１０の開口部１１４ａに挿通されている。つまり、取付け具１３０の第１背面部１３０ａと正面部１３０ｂにおける縫製部１３２よりも下側の部分がループ状（筒状）に形成され、該ループ状の部分であるループ状部１３０−２（第２ループ状部）に板状部本体１１４の上端部分が挿通され、該ループ状部１３０−２が、係止具１１０を吊り下げた状態で支持する部分となっている。
【００８７】
また、正面部１３０ｂと第２背面部１３０ｃにおける縫製部１３２よりも上側の部分（すなわち、正面部２２と背面構成部８０間に挟設された部分を含む取付け具１３０の少なくとも一部）はループ状（筒状）に形成されていて、このループ状に形成された部分であるループ状部１３０−１（第１ループ状部）がベルト通し部１３４となる。つまり、取付け具１３０は、ループ状部１３０−１とループ状部１３０−２の２つのループ状部を有している。
【００８８】
つまり、取付け具１３０は、開口部１１４ａに挿通されることにより係止具１１０に取り付けられ、取付け具１３０の少なくとも一部が筒状に形成され、これにより、ベルト通し部１３４が形成されている。
【００８９】
縫製部１３２は、布製部材の下端の折り返し位置と略平行に形成されており、下端の折り返し位置に近い側に形成されている。これにより、ベルト通し部１３４を大きく形成することができる。
【００９０】
取付け具１３０は、２つのループ状部分を持つ８の字ループ状であるとして説明したが、帯状の布製部材の両側の端部を単に縫製して、１つのループ状とし、布製部材の一部を正面部２２と背面構成部８０間に挟設して、掛止具本体１０を取付け具１３０に取り付け、該布製部材を係止具１１０の開口部１１４ａに挿通して、係止具１１０を取付け具１３０に取り付けるようにしてもよい。
【００９１】
釣り用係止具５は、左右対称に形成され、係止具本体１０と取付け具１３０とはそれぞれ左右対称に形成されている。
【００９２】
なお、図１、図２、図４、図５、図８、図９、図１０、図１１、図１３は、回動掛止部４０が格納状態の場合を示し、図３、図１２は、回動掛止部４０が使用状態の場合を示している。
【００９３】
釣り用掛止具５を組み立てるには、軸部５０、５２側を背面側として回転掛止部４０を横向きにして、回転掛止部４０を正面側構成部２１の背面側から開口部Ｋ２０（特に、下側開口部Ｋ２２）に挿通し、突出部３０内の空間の正面側の端部に軸部５０、５２を配置する。つまり、軸部５０を左側突出部３２の溝部Ｍ１の正面側の端部に配置し、軸部５２を右側突出部３４の溝部Ｍ２の正面側の端部に配置する。これにより回転掛止部４０の先端側（基端部４４と先端部４６とが連設されている側）を突出部３０から突出した状態とする。つまり、回動掛止部４０を突出部３０に回動自在に取り付ける。その後、内側構成部６０を突出部６８、７０側を正面側として正面側構成部２１の背面側から下側開口部Ｋ２２に挿通し、突出部６８を溝部Ｍ１に嵌合させるとともに、突出部７０を溝部Ｍ２に嵌合させる。これにより、回動掛止部４０の軸部５０は、突出部６８により前後方向の移動が規制され、軸部５２は、突出部７０により前後方向の移動が規制される。つまり、軸部５０は、溝部Ｍ１の正面側の端部位置で回転可能に配置され、軸部５２は、溝部Ｍ２の正面側の端部位置で回転可能に配置される。
【００９４】
その後、布製部材に掛止具本体１０を取り付ける。つまり、布製部材を正面側構成部２１（回転掛止部４０と内側構成部６０を取り付けた状態の正面側構成部２１）の正面部２２の背面側に配置し、背面構成部８０を正面側構成部２１の背面側に布製部材をカバーするように配置し、その後、ネジ部９０を開口部Ｋ４０〜Ｋ４６に挿通するとともにネジ穴Ｈ１０〜Ｈ１６に螺着する。その際、４つのネジ部を取付け具１３０に挿通した状態で螺着するので、掛止部本体１０を取付け具１３０に強固に取り付けることができ、また、開口部Ｋ４０と開口部Ｋ４２に対応したネジ部は、内側構成部６０に設けられた開口部６５ａ、６５ｂにも挿通した状態で螺着されるので、内側構成部６０を正面側構成部２１に強固に固定でき、回動掛止部４０の軸部５０、５２のぐらつきを防止することができる。
【００９５】
布製部材に掛止具本体１０を取り付けたら、布製部材を係止具１１０の開口部１１４ａに通した状態で、布製部材の一方の端部領域と他方の端部領域とを重ねた状態で縫製を行う。
【００９６】
上記構成の釣り用係止具５の使用状態について説明する。釣り用掛止具５を使用する際には、取付け具１３０のベルト通し部１３４にベルト（主として、ズボンのベルト）を通して釣りを行う使用者に装着する。釣り用係止具５の装着位置としては、使用者の腰の辺りとするのが好ましい。図１０、図１１は、ズボンのベルト１５０を取付け具１３０に挿通して装着した状態を示している。
【００９７】
鮎の釣り場において、曳舟１６０に設けられた紐体１７０に取り付けられたナス環１８０を係止具１１０に係止する。つまり、ナス環１８０を係止具１１０の突出部１２０に係止させる。なお、回動掛止部４０は、図１０、図１１に示すように、上方に回動して格納された状態としておく。回動掛止部４０が格納状態にある場合には、突状部４４ｂは内側構成部６０の鉤状部６２ｂに係合して、回動掛止部４０を正面側に回動させるように力を加えない限り、格納状態が維持され、不用意に回動掛止部４０が下方に回動して正面側に突出することがない。
【００９８】
ナス環１８０を突出部１２０に係止させるに際しては、係止具１１０においては、突出部１２０が板状部１１２の正面側の面に対して突出して形成されていて、釣り用掛止具５をベルト１５０に装着した状態では、突出部１２０が側方に突出した状態となっているので、ナス環１８０の留め具１８４をナス環本体１８２に対して開いた状態として（つまり、留め具１８４を内側に押さえることにより開いた状態となる）ナス環本体１８２を突出部１２０に係止させ、留め具１８４をナス環本体１８２に対して開けた状態を解除する（留め具１８４を押さえていた指を離すことにより解除される）ことにより留め具１８４をナス環本体１８２に対して閉じた状態としてナス環１８０を係止具１１０（特に、突出部１２０）に係止させる。
【００９９】
なお、ナス環本体１８２を突出部１２０に係止させる際に、突出部１２０の先端側を下方に押しても、板状部１１２に先端部１１６が設けられているので、突出部１２０が下方に回動することがなく、ナス環本体１８２を突出部１２０に係止させる操作が容易である。つまり、先端部１１６が突出部１２０の上下方向の位置よりも下方に突出して形成されているので、突出部１２０を下方に押しても、先端部１１６の背面側の面が他の物（この場合には、使用者の腰の部分（図１１では、Ｐの辺りが腰の辺りとなる））に接することにより突出部１２０が下方には回動しない。
【０１００】
また、突出部１２０を下方に押さえておくことにより、先端部１１６の背面側の面が該他の物の面側に押されるので、これにより、係止具１１０が固定され、ナス環１８０を係止しやすくすることができる。
【０１０１】
留め具１８４を内側に押さえた状態でナス環本体１８２を突出部１２０に係止させ、留め具１８４を押さえていた指を離して留め具１８４をナス環本体１８２に対して開けた状態を解除する操作は、片手で行うことができるので、両手を用いることなくナス環１８０を係止具１１０に係止させることができる。なお、突出部１２０を下方に押さえる操作も、ナス環１８０を係止させる直前に行えばよく、ナス環１８０を持った手で行なうことができる。
【０１０２】
次に、ナス環１８０を係止具１１０に取り付けた状態で、曳舟を川に流した状態で鮎の友釣りを行ない、鮎を釣り上げた際には、回動掛止部４０を正面側構成部２１に対して下方に回動させて、回動掛止部４０を前方に突出した使用状態とし、その後、紐体１７０をたぐって曳舟１６０を手元に引き寄せる。
【０１０３】
回動掛止部４０を格納状態から使用状態にする際には、突状部４４ｂが内側構成部６０の鉤状部６２ｂに係合しているが、回動掛止部４０を正面側に回動させることにより、係合状態が解除される。なお、回動掛止部４０を下方に回動させる操作は、紐体１７０をたぐった後に行っておいてもよい。
【０１０４】
紐体１７０をたぐり寄せたら、図１２に示すように、紐体１７０の途中位置を回動掛止部４０に掛止させる。つまり、回動掛止部４０の溝部Ｍ３の開口側（先端部４６の先端側）から紐体１７０を溝部Ｍ３に挿入して回動掛止部４０に掛止させる。紐体１７０を掛止させる際には、紐体１７０の方向は、回動掛止部４０の回動軸（軸部５０、５２の軸線）と略平行にしておく。なお、溝部Ｍ３は、回動掛止部４０の先端側にいくほど狭くなるテーパ状を呈しているので、紐体１７０の径に応じて回動掛止部４０の長手方向の所定の位置で固定される。
【０１０５】
そして、釣り上げた鮎を曳舟１６０に投入したら、紐体１７０の回動掛止部４０への掛止を解除し（つまり、紐体１７０を回動掛止部４０の基端側にスライドさせて回動掛止部４０から取り外す）、再び、曳舟１６０を川に流した状態とする。回動掛止部４０は、次に紐体１７０を掛止するまでは使用しないので、回動掛止部４０を上方に回動させて格納状態にしておくことが好ましい。
【０１０６】
上記構成の釣り用掛止具５によれば、掛止具本体１０に回動掛止部４０が設けられているので、鮎の友釣りに際して釣り上げた鮎を曳舟１６０に投入する際に、紐体１７０をたぐって掛止しておくことができるので、曳舟１６０への投入を容易とすることができる。
【０１０７】
また、紐体１７０を掛止する回動掛止部４０は、上記のように格納状態と使用状態との間を回動するので、回動掛止部４０を使用しない場合には、回動掛止部４０の長手方向を上下方向にして前後方向に突出しないので、釣り用掛止具５が嵩張らず、釣り用掛止具５を釣り人の腰に装着しても釣り用掛止具５（特に、回動掛止部４０）が邪魔になることがなく、保管や運搬にも省スペースとすることができる。
【０１０８】
また、回動掛止部４０においては、先端部４６が基端部４４よりも短く形成され、また、回動掛止部４０が突出部３０の先端側に回動可能に設けられ、回動掛止部４０の使用状態の場合に、先端部４６が基端部４４の上側となるので、図３に示すように、回動掛止部４０の使用状態の場合には、先端部４６の先端と正面部２２の正面側の面の間には、間隔Ｗが形成され、紐体を回動掛止部４０に掛止させるのが容易となる。また、回動掛止部４０が使用状態において、突出部３０の上面と基端部４４の基端側の上面は連続して形成されているので、これによっても、紐体を回動掛止部４０に掛止させるのが容易となる。すなわち、特許文献１の釣用掛止具では、スリ割溝の位置に正確に紐体を配置して係止しなければならないが、本実施例の釣り用掛止具５においては、突出部３０の上面に紐体を配置し、その後、前方に紐体をスライドさせることにより回動掛止部４０に掛止する。
【０１０９】
また、釣り用掛止具５には係止具１１０が設けられているので、曳舟に設けられた係止部材（ナス環、鉄砲環等）を係止させるための部材を別途設ける必要がない。
【０１１０】
また、係止具１１０は、上記のように構成されているので、ナス環等の係止部材を係止させる際に係止させる部分（つまり、突出部１２０）を一方の手で持ち上げる必要がなく、ナス環等の係止部材を片手で係止させることができ、両手を用いることなくナス環１８０を係止具１１０に係止させることができる。特に、突出部１２０は板状部１１２に対して屈曲して形成されており、１００〜１１０度に形成されているので、突出部１２０の上下に十分な空間を確保することができ、係止部材を容易に係止することができる。また、突出部１２０が略Ｕ字状に形成されているので、危険となることがない。つまり、突出部１２０が略Ｕ字状ではなく角張った形状の場合には、手や腕が負傷するという危険が生じる可能性があるが、そのようなおそれがない。
【０１１１】
また、ベルト１５０を取付け具１３０のベルト通し部１３４に通して釣り用係止具５を装着した状態（つまり、垂下してぶら下げた状態）では、突出部１２０が側方に突出した状態となっているので、上側から視認した場合に、係止具１１０の存在を識別しやすく、ナス環等の係止部材の係止を容易に行うことができる。
【０１１２】
なお、上記の説明において、板状部１１２には先端部１１６が設けられるとしたが、板状部本体１１４が上下方向に十分な長さがあれば、突出部１２０を下方に押しても板状部１１２が回動してしまうことがないので、先端部１１６の構成を省略してもよい。
【０１１３】
また、上記の説明においては、板状部１１２から正面側に突出した部材（突出部１２０）がＵ字状であるとしたが、板状部本体１１４の下端で先端部１１６が連設されていない両側の下端からそれぞれ板状部の一方の面に対して突出して該両側の下端同士を架橋して形成され、板状部本体とともに環状を構成し、板状部本体１１４との間に開口部を有する構成であれば他の形状でもよく、例えば、円弧状でもよく、略コ字状でもよい。なお、円弧状に形成する場合には、角張った形状でないので、危険となることがない。
【０１１４】
なお、突出部１２０は、板状部１１２に対して１００〜１１０度又は略直角に形成されているとしたが、板状部本体１１４に対して屈曲して板状部１１２の正面側の面に対して突出して形成されていればよい。なお、ナス環等の係止部材が係止しやすいためには、角度αは、少なくとも４５度〜１３５度程度が好ましい。つまり、角度αが４５度よりも小さい場合や１３５度よりも大きい場合には、突出部１２０の先端と板状部１１２の正面側の面との間の距離を十分確保することができず、係止部材を係止しにくいという問題がある。
【０１１５】
なお、上記の説明においては、釣り用掛止具５においては、係止具１１０が設けられているとして説明したが、図１３に示すように、従来から存在するＤ環としてもよい。つまり、係止具１１０’は、Ｄ環により形成され、係止具１１０’は、円弧状部１１０’−１と、円弧状部１１０’−１の両端を結んで形成された直線状部（直線棒状部）１１０’−２とを有し、全体にＤ形状の環状を呈していて、直線状部１１０’−２が取付け具１３０の下端の筒状部分（取付け具１３０の第１背面部１３０ａと正面部１３０ｂにおける縫製部１３２よりも下側のループ状部１３０−２に挿通している。
【０１１６】
なお、釣り用掛止具５には、掛止具本体１０と、係止具１１０、１１０’が設けられているとしたが、釣り用掛止具５を掛止具本体１０と取付け具１３０のみとし、曳舟１６０の紐体１７０に設けられたナス環１８０を係止する部材は別に設けるようにしてもよい。すなわち、係止具１１０（又は係止具１１０’）を帯状の布製部材をループ状に形成した取付け具に取り付けた構成の装置を別途用意して、掛止具本体１０と取付け具１３０のみからなる釣り用掛止具と、該装置とをベルトに挿通して使用してもよい。
【実施例２】
【０１１７】
実施例２の釣り用掛止具１０５は、実施例１と略同様の構成であるが、取付け具１３０と係止具１１０、１１０’が設けられておらず、ベルト（主として、ズボンのベルト）を正面側構成部と背面構成部間に直接挿通する構成である。
【０１１８】
すなわち、釣り用掛止具１０５は、図１４に示すように、本体構成部２０と、本体構成部２０に対して回動する回動掛止部４０と、本体構成部２０の正面側構成部２１に取り付けられる内側構成部６０とを有し、本体構成部２０は、正面側構成部２１と、正面側構成部２１の背面側（Ｙ２側）に取り付けられる背面構成部８０を有している。
【０１１９】
正面側構成部（主構成部）２１は、実施例１の正面側構成部２１と略同様の構成であるが、実施例１では、正面部２２の左右両側から側面部２４、２６が背面側に突出しているのに対して、正面部２２の上下の端部から背面側に突出している点が異なる。
【０１２０】
すなわち、本体構成部２１は、正面部（主部）２２と、正面部２２の上面側の端部から背面側に突出して連設された上面部２５と、正面部２２の下面側の端部から背面側に突出して連設された下面部２７と、正面部２２の正面側の面から正面側に突出して形成された突出部３０とを有している。正面側構成部２１は、合成樹脂により全体に一体に形成されている。
【０１２１】
正面部２２と突出部３０の構成は、実施例１の正面部２２と突出部３０と同様の構成であるので詳しい説明を省略する。
【０１２２】
上面部２５は、正面部２２の上面側の端部から背面側に突出して略板状に連設され、左右方向には正面部２２の左右方向の長さと略同一の長さを有している。上面部２５の背面側の内側には、背面構成部８０の上面側の縁部が嵌合するための切欠部２５ａが上面部２５の左端から右端に左右方向に形成され、これにより、上面部２５の背面が段状に形成されている。
【０１２３】
下面部２７は、正面部２２の下面側の端部から背面側に突出して略板状に連設され、左右方向には正面部２２の左右方向の長さと略同一の長さを有している。下面部２７の背面側の内側には、背面構成部８０の上面側の縁部が嵌合するための切欠部２７ａが下面部２７の左端から右端に左右方向に形成され、これにより、下面部２７の背面が段状に形成されている。
【０１２４】
また、回動掛止部４０は、実施例１の回動掛止部４０と同様の構成であり、突出部３０に回動自在に支持される。回動掛止部４０は、実施例１の回動掛止部４０と同様の構成であるので、詳しい説明を省略する。
【０１２５】
また、内側構成部６０は、実施例１の内側構成部６０と同様の構成であり、正面部２２に取り付けられる。内側構成部６０は、実施例１の内側構成部６０と同様の構成であるので、詳しい説明を省略する。
【０１２６】
また、背面構成部８０は、正面部２２と対向して設けられ、実施例１の背面構成部８０と略同様の構成であるが、上面側と下面側に突出している点が異なる。すなわち、背面構成部８０は、略方形状（略縦長長方形状）の略平板状を呈し、背面構成部８０の上面側の辺部には正面側に左右方向に切欠部８１ａが形成され、背面構成部８０の背面側には、上面側に突出した突出部８３ａが形成されている。この突出部８３ａは、上面部２５の切欠部２５ａに嵌合する。
【０１２７】
また、背面構成部８０の下面側の辺部には正面側に左右方向に切欠部８１ｂが形成され、背面構成部８０の背面側には、下面側に突出した突出部８３ｂが形成されている。この突出部８３ｂは、下面部２７の切欠部２７ａに嵌合する。
【０１２８】
また、実施例１と同様に、背面構成部８０の４箇所には、円形の外形を有する凹部Ｋ３０〜Ｋ３６と該凹部の位置に設けられた開口部Ｋ４０〜計４６が形成されている。
【０１２９】
背面構成部８０を正面側構成部２１に取り付けた状態では、正面部２２と上面部２５と下面部２７と背面構成部８０により筒状に形成され、左右方向に挿通穴が形成される。
【０１３０】
実施例２の釣り用掛止具１０５を組み立てるには、実施例１と同様に、回動掛止部４０を突出部３０に回動自在に取り付け、その後、内側構成部６０を突出部６８、７０側を正面側として正面側構成部２１の背面側から下側開口部Ｋ２２に挿通し、突出部６８を溝部Ｍ１に嵌合させるとともに、突出部７０を溝部Ｍ２に嵌合させて、内側構成部６０を正面部２２に取り付ける。
【０１３１】
その後、背面構成部８０を正面側構成部２１の背面側に配置し、ネジ部９０を開口部Ｋ４０〜Ｋ４６及び開口部６５ａ、６５ｂに挿通するとともに正面部２２のネジ穴Ｈ１０〜Ｈ１６に螺着する。
【０１３２】
釣り用掛止具１０５の使用状態としては、ズボンのベルト１５０を本体構成部２０において左右方向に設けられた挿通穴（つまり、正面部２２と上面部２５と下面部２７と背面構成部８０により囲まれた挿通穴）に挿通して使用する。また、曳舟１６０の紐体１７０に設けられたナス環１８０（図１０等参照）を係止する部材は別に設ける。
【０１３３】
釣り用掛止具１０５の具体的な使用状態は、実施例１と同様であり、曳舟を川に流した状態で鮎の友釣りを行ない、鮎を釣り上げた際には、回動掛止部４０を正面側構成部２１に対して下方に回動させて、回動掛止部４０を前方に突出した使用状態とし、その後、紐体１７０をたぐって曳舟１６０を手元に引き寄せて、回動掛止部４０に掛止させる。
【０１３４】
上記構成の釣り用掛止具１０５によれば、正面側構成部２１に回動掛止部４０が設けられているので、鮎の友釣りに際して釣り上げた鮎を曳舟１６０に投入する際に、紐体をたぐって掛止しておくことができるので、曳舟への投入を容易とすることができる。
【０１３５】
また、紐体を掛止する回動掛止部４０は、上記のように格納状態と使用状態との間を回動するので、回動掛止部４０を使用しない場合には、回動掛止部４０の長手方向を上下方向にして前後方向に突出しないので、釣り用掛止具１０５が嵩張らず、釣り用掛止具１０５を釣り人の腰に装着しても釣り用掛止具１０５（特に、回動掛止部４０）が邪魔になることがなく、保管や運搬にも省スペースとすることができる。
【０１３６】
また、回動掛止部４０は、突出部３０の先端側に回動可能に設けられているので、回動掛止部４０の使用状態（回動掛止具４０が正面側に突出した状態）の場合には、先端部４６の先端と正面部２２の正面側の面の間には、間隔Ｗが形成され、また、回動掛止部４０が使用状態において、突出部３０の上面と基端部４４の基端側の上面は連続して形成されているので、紐体を回動掛止部４０に掛止させるのが容易となる。
【実施例３】
【０１３７】
実施例３の釣り用掛止具２０５は、実施例２の釣り用掛止具１０５と比べて、背面構成部８０が省略され、正面側構成部２１における上面部２５と下面部２７が省略された構成となっている。
【０１３８】
つまり、釣り用掛止具２０５は、図１５に示すように、本体部（主構成部）１２１と、本体部１２１の突出部３０に対して回動する回動掛止部４０と、本体部１２１の板状部１２２に取り付けられる内側構成部６０とを有している。
【０１３９】
ここで、本体部１２１は、板状部（主部）１２２と、板状部１２２の正面側の面から正面側に突出して形成された突出部３０とを有している。
【０１４０】
板状部１２２は、実施例１や実施例２の正面部２２と同様の構成であるので、詳しい説明を省略する。つまり、実施例１の正面側構成部２１から側面部２４、２６を省略した構成であり、実施例２の正面側構成部２１から上面部２５と下面部２７を省略した構成ともいえる。
【０１４１】
また、突出部３０の構成は、実施例１や実施例２の突出部３０と同様の構成であるので詳しい説明を省略する。
【０１４２】
また、回動掛止部４０は、実施例１の回動掛止部４０と同様の構成であり、突出部３０に回動自在に支持される。回動掛止部４０は、実施例１の回動掛止部４０と同様の構成であるので、詳しい説明を省略する。
【０１４３】
また、内側構成部６０は、実施例１の内側構成部６０と同様の構成であり、板状部１２２に取り付けられる。内側構成部６０は、実施例１の内側構成部６０と同様の構成であるので、詳しい説明を省略する。
【０１４４】
実施例３の釣り用掛止具２０５を組み立てるには、実施例１と同様に、回動掛止部４０を突出部３０に回動自在に取り付け、その後、内側構成部６０を突出部６８、７０側を正面側として本体部１２１の背面側から下側開口部Ｋ２２に挿通し、突出部６８を溝部Ｍ１に嵌合させるとともに、突出部７０を溝部Ｍ２に嵌合させて、内側構成部６０を板状部１２２に取り付ける。
【０１４５】
釣り用掛止具２０５の使用状態としては、ズボン等のベルト１５０に固着して使用する。すなわち、図１５に示すように、釣り用掛止具２０５の板状部１２２の背面をベルト１５０の面に当接させ、下側の２つのネジ部９０については、ベルト１５０における釣り用掛止具２０５を当接させた面の反対側の面からネジ部９０をベルト１５０に挿通し、内側構成部６０の２つの開口部に挿通するとともに板状部１２２のネジ穴に螺着し、一方、上側の２つのネジ部９０については、ベルト１５０における釣り用掛止具２０５を当接させた面の反対側の面からネジ部９０をベルト１５０に挿通し、板状部１２２のネジ穴に螺着する。
【０１４６】
釣り人は上記のように釣り用掛止具２０５を取り付けたベルト１５０を装着して釣りを行なう。また、曳舟１６０の紐体１７０に設けられたナス環１８０（図１０等参照）を係止する部材は別に設ける。
【０１４７】
釣り用掛止具２０５の具体的な使用状態は、実施例１と同様であり、曳舟を川に流した状態で鮎の友釣りを行ない、鮎を釣り上げた際には、回動掛止部４０を突出部３０に対して下方に回動させて、回動掛止部４０を前方に突出した使用状態とし、その後、紐体１７０をたぐって曳舟１６０を手元に引き寄せて、回動掛止部４０に掛止させる。
【０１４８】
上記構成の釣り用掛止具２０５によれば、本体部１２１に回動掛止部４０が設けられているので、鮎の友釣りに際して釣り上げた鮎を曳舟１６０に投入する際に、紐体をたぐって掛止しておくことができるので、曳舟への投入を容易とすることができる。
【０１４９】
また、紐体を掛止する回動掛止部４０は、上記のように格納状態と使用状態との間を回動するので、回動掛止部４０を使用しない場合には、回動掛止部４０の長手方向を上下方向にして前後方向に突出しないので、釣り用掛止具２０５が嵩張らず、釣り用掛止具２０５を釣り人の腰に装着しても釣り用掛止具２０５（特に、回動掛止部４０）が邪魔になることがなく、保管や運搬にも省スペースとすることができる。
【０１５０】
また、回動掛止部４０においては、先端部４６が基端部４４よりも短く形成され、また、回動掛止部４０が突出部３０の先端側に回動可能に設けられているので、図１５に示すように、回動掛止部４０の使用状態の場合には、先端部４６の先端と板状部１２２の正面側の面の間には、間隔が形成され、紐体を回動掛止部４０に掛止させるのが容易となる。また、回動掛止部４０が使用状態において、突出部３０の上面と基端部４４の基端側の上面は連続して形成されているので、これによっても、紐体を回動掛止部４０に掛止させるのが容易となる。
【０１５１】
なお、上記各実施例において、回動掛止部４０には軸部５０、５２が設けられ、軸部５０、５２が溝部Ｍ１、Ｍ２に回転可能に設けられるが、屈曲部が４２が左側突出部３２と右側突出部３４間の位置で回動自在とする構成は他の構成でもよく、例えば、左側突出部３２において溝部Ｍ１を形成せずに右側面側に突出した軸部を形成するとともに、右側突出部３４において溝部Ｍ２を形成せずに左側面側に突出した軸部を形成し、屈曲部４２の基端部４４の両側には、各軸部を挿通する凹部を設けるようにしてもよいし、左右方向に貫通する穴部を設けてもよい。
【０１５２】
また、上記各実施例においては、左側突出部３２に溝部Ｍ１を設け、右側突出部３４に溝部Ｍ２を設けた構成としたが、左側突出部３２には溝部Ｍ１の代わりに軸部５０が挿入される円柱状の凹部を設け、右側突出部３４には溝部Ｍ２の代わりに軸部５２が挿入する円柱状の凹部を設けてもよい。
【０１５３】
つまり、左側突出部３２及び右側突出部３４と屈曲部４２における一方に軸部を設け、他方に該軸部が挿入する凹部（又は穴部）を設ける構成としてもよい。また、屈曲部４２と軸部を別の構成とし、屈曲部４２の基端部４４の基端部分に左右方向に貫通穴を設け、該貫通穴に軸部を嵌合させて、軸部の両側を基端部４４の左右両側に突出した構成としてもよい。
【０１５４】
左側突出部３２及び右側突出部３４と屈曲部４２における一方に軸部を設け、他方に該軸部が挿入する凹部（又は穴部）を設ける構成の場合には、軸部は凹部（又は穴部）に前後方向の動きが規制されるので、内側構成部６０の構成を省略してもよい。
【０１５５】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【符号の説明】
【０１５６】
５、１０５、２０５  釣り用掛止具
１０  掛止具本体
２０  本体構成部
２１  正面側構成部
２２  正面部
２４、２６  側面部
２５  上面部
２７  下面部
３０、６８、７０、８２ａ、８２ｂ、８３ａ、８３ｂ、１２０  突出部
３２  左側突出部
３４  右側突出部
３６  連結部
４０  回動掛止部
４２  屈曲部
４４  基端部
４４ｂ  突状部
４６  先端部
５０、５２  軸部
６０  内側構成部
６２  内側構成部本体
６２ａ  枠状部
６２ｂ  鉤状部
６４  片部
６４ａ  左側片部
６４ｂ  右側片部
６５ａ、６５ｂ  開口部
８０  背面構成部
１１０  係止具
１１２  板状部
１１４  板状部本体
１１６  先端部
１２０  突出部
１２１  本体部
１２２  板状部
１３０  取付け具
１３０−１、１３０−２  ループ状部
Ｈ１０、Ｈ１２、Ｈ１４、Ｈ１６  ネジ穴
Ｋ４０、Ｋ４２、Ｋ４４、Ｋ４６  開口部
【図１】
2013090613.tif 000003
【図２】
2013090613.tif 000004
【図３】
2013090613.tif 000005
【図４】
2013090613.tif 000006
【図５】
2013090613.tif 000007
【図６】
2013090613.tif 000008
【図７】
2013090613.tif 000009
【図８】
2013090613.tif 000010
【図９】
2013090613.tif 000011
【図１０】
2013090613.tif 000012
【図１１】
2013090613.tif 000013
【図１２】
2013090613.tif 000014
【図１３】
2013090613.tif 000015
【図１４】
2013090613.tif 000016
【図１５】
2013090613.tif 000017